(57)【要約】【課題】輸液剤に水素ガスを溶解させて輸液するための用具および装置を提供する。【解決手段】開示される輸液用具１０は、輸液剤に水素ガスを溶解させて輸液するために用いられる。輸液用具１０は、輸液剤が流れる輸液チューブ（輸液流路）であって水素分子が透過可能な輸液チューブ１１の少なくとも一部を囲むように配置することが可能な水素ガス保持部材１２を含む。水素ガス保持部材１２には、輸液チューブ１１と水素ガス保持部材１２との間の空間１０ｓに水素ガスを流すための流入口（流入部）１２ａおよび流出口（流出部）１２ｂが形成されている。【選択図】図１Ａ
2019017879.tif 000002
【特許請求の範囲】
【請求項１】
輸液剤に水素ガスを溶解させて輸液するために用いられる輸液用具であって、
前記輸液剤が流れる輸液流路であって水素分子が透過可能な輸液流路の少なくとも一部を囲むように配置することが可能な水素ガス保持部材を含み、
前記水素ガス保持部材には、前記輸液流路と前記水素ガス保持部材との間の空間に水素ガスを流すための流入部および流出部が形成されている、輸液用具。
【請求項２】
前記輸液流路を含み、
前記輸液流路が前記空間に面する面積が５０ｃｍ2〜４００ｃｍ2の範囲にあり、
前記輸液流路の肉厚が０．１ｍｍ〜１．１ｍｍの範囲にある、請求項１に記載の輸液用具。
【請求項３】
前記水素ガス保持部材は、前記輸液流路の前記少なくとも一部を内部に通すことが可能な管状部材と、前記管状部材の開口部を封止する封止部材とを含む、請求項１または２に記載の輸液用具。
【請求項４】
輸液剤に水素ガスを溶解させて輸液するために用いられる輸液装置であって、
請求項１〜３のいずれか１項に記載の輸液用具と、
前記輸液剤が配置された輸液容器を支持する輸液スタンドと、
前記輸液スタンドに配置された水素ガス生成装置とを含み、
前記水素ガス生成装置は、水を電気分解して水素ガスを生成するための電極ユニットを含む、輸液装置。
【請求項５】
前記電極ユニットが膜電極接合体である、請求項４に記載の輸液装置。
【請求項６】
前記輸液容器は、水素分子が透過可能な容器であり、
前記輸液剤は、溶存水素濃度が１．６ｐｐｍ以上である、請求項４または５に記載の輸液装置。
【請求項７】
水素分子が透過可能な輸液容器中の輸液剤の溶存水素濃度を上昇させる方法であって、
前記輸液剤が封入されている前記輸液容器を、前記輸液容器内の空間、および、前記輸液容器の周囲の空間から選ばれる少なくとも１つの空間に水素ガスを配置した状態で加圧容器中に配置する第１工程と、
前記輸液容器が配置された前記加圧容器内を１気圧よりも高圧にする第２工程と、を含む、方法。
【請求項８】
前記第１工程の前に前記輸液容器中のガスを抜く工程を含み、
前記第１工程では、前記輸液容器の周囲の空間に水素ガスを配置した状態で前記輸液容器が加圧容器中に配置される、請求項７に記載の方法。
【請求項９】
前記第１工程の前に、前記輸液容器中のガスを水素ガスに置換する工程を含み、
前記第１工程では、少なくとも前記輸液容器内の空間に水素ガスを配置した状態で前記輸液容器が前記加圧容器中に配置される、請求項７に記載の方法。
【請求項１０】
前記第１工程の前に、前記輸液剤が封入されている前記輸液容器を、水素ガスが充填された袋の中に配置して前記袋を密閉する工程を含み、
前記第１工程において、前記袋の中に配置されたままの状態で前記輸液容器を前記加圧容器中に配置する、請求項７〜９のいずれか１項に記載の方法。
【発明の詳細な説明】
【技術分野】
【０００１】
本発明は、輸液用具およびそれを用いた輸液装置、ならびに輸液剤の溶存水素濃度を上昇させる方法に関する。
【背景技術】
【０００２】
溶存水素濃度が高い液体について、生体に対する様々な効能が調査されている。溶存水素濃度が高い液体を体内に取り込む方法としては、溶存水素濃度が高い水を飲む方法が一般的である。溶存水素濃度が高い水を製造する装置は、従来から提案されている（たとえば特許文献１）。
【０００３】
一方、溶存水素濃度が高い輸液剤を輸液することによっても、溶存水素濃度が高い液体を体内に取り込むことが可能である。
【先行技術文献】
【特許文献】
【０００４】
【特許文献１】特開２００５−１０５２８９号公報
【発明の概要】
【発明が解決しようとする課題】
【０００５】
このような状況において、本発明は、溶存水素濃度が高い輸液剤を輸液するために用いられる器具、装置、および方法を提供することを目的の１つとする。
【課題を解決するための手段】
【０００６】
本発明の一実施形態による輸液用具は、輸液剤に水素ガスを溶解させて輸液するために用いられる輸液用具である。この輸液用具は、前記輸液剤が流れる輸液流路であって水素分子が透過可能な輸液流路の少なくとも一部を囲むように配置することが可能な水素ガス保持部材を含む。前記水素ガス保持部材には、前記輸液流路と前記水素ガス保持部材との間の空間に水素ガスを流すための流入部および流出部が形成されている。
【０００７】
本発明の一実施形態による輸液装置は、輸液剤に水素ガスを溶解させて輸液するために用いられる輸液装置である。この輸液装置は、本発明の輸液用具と、前記輸液剤が配置された輸液容器を支持する輸液スタンドと、前記輸液スタンドに配置された水素ガス生成装置とを含む。前記水素ガス生成装置は、水を電気分解して水素ガスを生成するための電極ユニットを含む。
【０００８】
本発明の一実施形態による方法は、水素分子が透過可能な輸液容器中の輸液剤の溶存水素濃度を上昇させる方法である。この方法は、前記輸液剤が封入されている前記輸液容器を、前記輸液容器内の空間、および、前記輸液容器の周囲の空間から選ばれる少なくとも１つの空間に水素ガスを配置した状態で加圧容器中に配置する第１工程と、前記輸液容器が配置された前記加圧容器内を１気圧よりも高圧にする第２工程と、を含む。
【発明の効果】
【０００９】
本発明の輸液用具および輸液装置によれば、輸液剤に水素ガスを簡単に溶解できる。また、本発明の方法によれば、輸液剤の溶存水素濃度を容易に高めることができる。
【図面の簡単な説明】
【００１０】
【図１Ａ】図１Ａは、本発明の輸液用具の一例を模式的に示す図である。
【図１Ｂ】図１Ｂは、図１Ａに示した輸液用具の断面を模式的に示す図である。
【図２】図２は、本発明の輸液用具の使用状態の一例を模式的に示す図である。
【図３Ａ】図３Ａは、本発明の輸液用具の一部の一例を模式的に示す断面図である。
【図３Ｂ】図３Ｂは、本発明の輸液用具の一部の他の一例を模式的に示す断面図である。
【図４】図４は、本発明の輸液装置の一例を模式的に示す図である。
【図５】図５は、水素ガス生成装置の一例を模式的に示す図である。
【図６】図６は、吸入器具の一例を模式的に示す図である。
【図７】図７は、本発明の方法の一工程の一例を模式的に示す図である。
【図８】図８は、本発明の方法の一工程の他の一例を模式的に示す図である。
【発明を実施するための形態】
【００１１】
以下、本発明の実施形態について説明する。なお、以下の説明では、本発明の実施形態について例を挙げて説明するが、本発明は以下で説明する例に限定されない。以下の説明では、具体的な数値や材料を例示する場合があるが、本発明の効果が得られる限り、他の数値や材料を適用してもよい。
【００１２】
（輸液用具）
本発明の輸液用具は、輸液剤に水素ガスを溶解させて輸液するために用いられる用具である。本発明の輸液用具は、輸液セットの一部として用いることができる。
【００１３】
本発明の輸液用具は、水素ガス保持部材を含む。水素ガス保持部材は、輸液剤が流れる輸液流路であって水素分子が透過可能な輸液流路の少なくとも一部を囲むように配置することが可能な部材である。当該輸液流路を以下では、「輸液流路（Ｐ）」と称する場合がある。また、本発明の輸液用具を以下では、「輸液用具（Ｔ）」または「用具（Ｔ）」と称する場合がある。水素ガス保持部材には、輸液流路と水素ガス保持部材との間の空間に水素ガスを流すための流入部および流出部が形成されている。以下では、この空間を「空間（Ｓ）」と称する場合がある。輸液流路（Ｐ）のうちの上記少なくとも一部、すなわち、水素ガス保持部材で囲まれる部分は、水素分子（水素ガス）を透過させる。この部分を、以下では「水素透過部」と称する場合がある。
【００１４】
水素ガス保持部材に形成された流入部から水素ガスが注入され、流出部から水素ガスが排出される。空間（Ｓ）を流れる水素ガスの一部は、輸液流路（Ｐ）を透過して輸液剤に溶解する。その結果、溶存水素濃度が高い輸液剤が輸液される。通常、流入部および流出部を除いて空間（Ｓ）は閉じられている。その場合、空間（Ｓ）を水素ガスで満たすことができる。なお、空間（Ｓ）の水素ガス濃度を高めることができれば発明の効果が得られるので、流入部および流出部以外の部分から水素ガスが多少は流れ出てもよい。
【００１５】
本発明の輸液用具（Ｔ）は、輸液流路（Ｐ）を含んでもよいし含まなくてもよい。いずれの場合においても、以下の（１）および／または（２）の条件が満たされてもよい。それらの条件を満たす場合において、水素透過部（輸液流路（Ｐ））は、後述する材料で形成されてもよい。空間（Ｓ）に面する輸液流路（Ｐ）の面積が大きいほど、水素ガスが輸液剤に溶解しやすくなる。また、水素透過部（輸液流路（Ｐ））が薄いほど、水素ガスが輸液剤に溶解しやすくなる。
（１）輸液流路（Ｐ）が空間（Ｓ）に面する面積が、５０〜４００ｃｍ2の範囲（たとえば１００〜２００ｃｍ2の範囲）にある。
（２）輸液流路（Ｐ）の肉厚が、０．５〜２．０ｍｍの範囲（たとえば０．７〜１．７ｍｍの範囲）にある。
【００１６】
水素透過部（輸液流路（Ｐ））は、水素分子を透過させる材料で形成される。水素分子は小さいため、一般的な樹脂やゴムを透過する。そのため、それらの材料で輸液流路（Ｐ）が形成されてもよい。たとえば、一般的な輸液チューブと同様の材料で、輸液流路（Ｐ）が形成されてもよい。輸液流路（Ｐ）は、ポリ塩化ビニル、シリコーン（シリコーン樹脂、シリコーンゴム）、ポリエチレン、およびポリプロピレンから選ばれる少なくとも１つからなるチューブであってもよい。水素透過性が高い材料で水素透過部を形成することによって、輸液剤に溶解する水素分子の量を多くすることができる。
【００１７】
輸液流路（Ｐ）は、典型的にはチューブ（輸液チューブ）である。一般的な輸液チューブを構成する樹脂やゴムは、水素分子（水素ガス）を透過させる。そのため、輸液流路（Ｐ）およびそれに含まれる水素透過部は、一般的な輸液チューブであってもよい。
【００１８】
水素透過部の部分は、それ以外の輸液流路（Ｐ）の部分と同じ構成を有してもよい。あるいは、水素透過部の部分は、それ以外の輸液流路（Ｐ）の部分とは異なる構成を有してもよい。たとえば、水素透過部の部分の肉厚は、それ以外の部分の肉厚よりも薄くてもよい。また、水素透過部の部分の外径は、それ以外の部分の外径よりも大きくてもよい。
【００１９】
水素ガス保持部材の材料に特に限定はなく、一般的な樹脂やゴムで形成してもよい。水素ガス保持部材を水素ガスが過剰に透過することを防止するため、水素ガス保持部材の水素透過性が水素透過部（輸液流路（Ｐ））の水素透過性よりも低くなるように、水素ガス保持部材を構成してもよい。ここで、部材の水素透過性は、部材を挟む２つの雰囲気の水素分圧差が所定値である場合に、単位面積の当該部材を単位時間当たりに透過する水素ガスの量で表すことが可能である。
【００２０】
水素ガス保持部材は、輸液流路（Ｐ）の上記少なくとも一部（水素透過部）を内部に通すことが可能な管状部材と、管状部材の開口部を封止する封止部材とを含んでもよい。
【００２１】
なお、封止部材は、水素ガスが過剰に流出しない限り、ある程度の通気性を有してもよい。たとえば、ある程度の通気性を有する多孔質体（たとえばスポンジ等）を封止部材として用いてもよい。その場合、その多孔質体を、水素ガスが流出する流出部として用いることも可能である。
【００２２】
輸液流路（Ｐ）の内部を流れる輸液剤の状態を確認するため、輸液流路（Ｐ）および水素ガス保持部材の少なくとも一部（たとえば全部）は、透明または半透明であることが好ましい。
【００２３】
輸液剤に特に限定はない。輸液剤の例には、生理食塩水や、栄養補給用の輸液などが含まれる。
【００２４】
空間（Ｓ）には、１気圧（ほぼ大気圧）よりも高い圧力で水素ガスが保持されてもよい。この構成によれば、輸液剤に溶解する水素分子の量を多くすることができる。
【００２５】
輸液流路（Ｐ）は、輸液ラインの一部を構成するチューブであってもよい。この場合、水素ガス保持部材は、輸液ラインのチューブの一部（水素透過部）を囲むように輸液ラインに取り付けられる。輸液流路（Ｐ）と水素ガス保持部材とは一体であってもよいし、分離可能であってもよい。
【００２６】
空間（Ｓ）には水素ガスが供給される。水素ガスの供給源に特に限定はなく、水素ガスのボンベを水素ガス供給源として用いてもよい。あるいは、水を電気分解して水素ガスを生成する装置を水素ガス供給源として用いてもよい。
【００２７】
水素ガス保持部材に形成された流出部からは、空間（Ｓ）を通過した水素ガスが流出する。流出する水素ガスを利用するための器具が、流出部に接続されていてもよい。たとえば、流出部には、ガス流路と、ガス流路に接続された吸入器具とが接続されていてもよい。吸入器具の例には、鼻カニューラやガス吸入用の鼻マスクが含まれる。あるいは、吸入器具は、水素ガス濃度が大気よりも高い空間を形成するための囲いであってもよい。そのような囲いは、密閉されておらず大気が流入可能な構造を有する。あるいは、流出部にはガス流路と、ガス流路が内部に挿入された容器とが接続されてもよい。容器に液体を配置し、ガス流路を容器の液体内に挿入することによって、液体中に水素ガスを放出することができる。その結果、液体に水素分子を溶解させることができ、溶存水素濃度が高い液体が得られる。液体は、飲用の液体（たとえば水）であってもよい。
【００２８】
（輸液装置）
本発明の輸液装置は、輸液剤に水素ガスを溶解させて輸液するために用いられる装置である。この装置は、本発明の輸液用具（Ｔ）と、輸液剤が配置された輸液容器を支持する輸液スタンドと、輸液スタンドに配置された水素ガス生成装置とを含む。水素ガス生成装置は、水を電気分解して水素ガスを生成するための電極ユニットを含む。
【００２９】
電極ユニットは膜電極接合体であってもよい。膜電極接合体は、燃料電池（たとえば固体高分子形燃料電池）で用いられている膜電極接合体である。膜電極接合体には、公知の膜電極接合体を用いることができる。
【００３０】
電極ユニットは、セパレータと、セパレータを挟んで対向している一対の電極であってもよい。セパレータは、電極同士が短絡することを防止するために電極間に配置される。セパレータは、絶縁性の材料で形成され、液体は透過させるがガスの透過を抑制する。セパレータは、イオン交換能を有さず、イオンを透過させる。セパレータの一例は、絶縁性の樹脂や綿で形成された不織布である。電極は、水の電気分解が可能な電極である。たとえば、電極は、表面が白金でコートされた金属電極であってもよい。
【００３１】
水素ガス生成装置は、通常、電極ユニットの電極に直流電流を供給するための直流電源（たとえばＡＣ−ＤＣコンバータ）を含む。さらに、水素ガス生成装置は、電気分解される水性液体が配置される槽を含む。水性液体は水を含む液体である。電極ユニットが膜電極接合体である場合、槽には、金属イオン濃度が低い水（たとえば脱イオン水）が配置される。電極ユニットがセパレータと一対の電極とからなる場合、槽には、電解液（たとえば塩の水溶液）が配置される。
【００３２】
電極ユニットで水が電気分解されることによって、水素ガスが生成される。生成された水素ガスは、水素ガス保持部材の流入部から空間（Ｓ）に送られる。
【００３３】
輸液容器は、水素分子が透過可能な容器であってもよい。さらに、輸液剤は、溶存水素濃度が高められた輸液剤であってもよい。たとえば、輸液剤は、溶存水素濃度が１．６ｐｐｍ以上（質量比）である輸液剤であってもよい。輸液剤の溶存水素は、以下で説明する方法で高めてもよい。
【００３４】
（輸液剤の溶存水素濃度を上昇させる方法）
水素分子が透過可能な輸液容器中の輸液剤の溶存水素濃度を上昇させる本発明の方法について説明する。以下では、この方法を水素化方法と称する場合がある。別の観点では、この方法は、輸液容器に封入されている輸液剤であって且つ溶存水素濃度が高い輸液剤の製造方法である。
【００３５】
輸液容器に特に限定はなく、水素分子が透過可能な材料で構成されている輸液容器（たとえば輸液バッグ）を用いることができる。輸液バッグなどの樹脂製の輸液容器に一般的に用いられている樹脂は水素分子を透過させる。そのため、一般的な輸液バッグを輸液容器として用いることができる。輸液剤に特に限定はなく、上述した輸液剤であってもよい。本発明の水素化方法によれば、一般的に用いられている輸液剤（輸液バッグ入りの輸液剤）の溶存水素濃度を上昇させることができる。
【００３６】
本発明の水素化方法として、２つの方法（第１の水素化方法および第２の水素化方法）を以下に説明する。
【００３７】
（第１の水素化方法）
本発明の第１の水素化方法は、第１工程と第２工程とを含む。第１工程は、輸液剤が封入されている輸液容器を、輸液容器内の空間、および、輸液容器の周囲の空間から選ばれる少なくとも１つの空間に水素ガスを配置した状態で加圧容器中に配置する工程である。
【００３８】
水素ガスは、輸液容器内の空間のみに配置されてもよいし、輸液容器の周囲の空間のみに配置されてもよいし、両方の空間に配置されてもよい。両方の空間に水素ガスを配置することによって、輸液剤の溶存水素濃度をより高めることが可能になりやすい。輸液容器内の空間に配置された水素ガスは、輸液剤に直接溶解する。一方、輸液容器の周囲に配置された水素ガスは、輸液容器を透過して輸液剤に溶解する。それらの空間に水素ガスを配置する方法の例については後述する。
【００３９】
加圧容器は、輸液容器を内包した状態で１気圧よりも高い圧力に加圧できる容器であればよい。加圧容器は、柔軟な樹脂製のバッグ状の容器であってもよいし、樹脂や金属からなる固いケース状の容器であってもよい。加圧容器は、水素分子の透過性が低いことが好ましい。
【００４０】
第２工程は、輸液容器が配置された加圧容器内を１気圧よりも高圧にする工程（加圧工程）である。第２工程における加圧の方法に特に限定はなく、公知の加圧方法で加圧してもよい。たとえば、加圧容器を備える公知の加圧機器を用いてもよい。２５℃で１気圧（約０．１ＭＰａ）の場合、水の飽和溶存水素濃度は約１．６ｐｐｍである。この飽和溶存水素濃度は、圧力の上昇に伴って上昇する。そのため、第２工程によって、溶存水素濃度が１．６ｐｐｍ以上の輸液剤（たとえば溶存水素濃度が１．６ｐｐｍよりも高い輸液剤）を得ることが可能になる。
【００４１】
第１の水素化方法は、第１工程の前に、輸液容器中のガスを抜く工程（脱気工程）を含んでもよい。この場合の第１工程では、輸液容器の周囲の空間に水素ガスを配置した状態で輸液容器が加圧容器中に配置される。第２工程の加圧時に、輸液容器内に水素ガス以外のガスが存在すると、当該ガスが輸液剤に溶解した分だけ溶存水素濃度の上昇が抑制される。輸液容器中のガスを抜いてから加圧することによって、輸液剤の溶存水素濃度をより高くすることが可能になる。輸液容器の周囲の空間に水素ガスを配置する方法の例には、加圧容器内に水素ガスを配置する方法や、後述する外袋を用いる方法が含まれる。
【００４２】
第１の水素化方法は、第１工程の前に、輸液容器中のガスを水素ガスに置換する工程（置換工程）を含んでもよい。この場合の第１工程では、少なくとも輸液容器内の空間に水素ガスを配置した状態で輸液容器が加圧容器中に配置される。置換工程によって、輸液容器内の空間に水素ガスが配置される。置換工程を行った後に、輸液容器を動かして輸液容器中の輸液剤と水素ガスとを攪拌することによって、輸液容器中の水素ガスを輸液剤に溶解させてもよい。これらの工程は、以下に説明する第２の水素化方法に相当するため、第２の水素化方法の説明において詳述する。
【００４３】
第１の水素化方法は、第１工程の前に、輸液剤が封入されている輸液容器を、水素ガスが充填された袋の中に配置して袋を密閉する工程を含んでもよい。当該袋を、以下では「外袋」と称する場合がある。この場合、第１工程において、外袋の中に配置されたままの状態で輸液容器を加圧容器中に配置する。すなわち、この場合の第１工程では、少なくとも輸液容器の周囲の空間に水素ガスを配置した状態で輸液容器が加圧容器中に配置される。
【００４４】
外袋は、加圧容器内の圧力が輸液容器に伝わるように、柔軟性がある樹脂等で形成される。外袋は、水素透過性が低いことが好ましい。そのため、アルミニウム層でコーティングされた樹脂フィルムを用いて外袋を形成してもよい。上述した脱気工程または置換工程を行う場合、それらの工程を行ってから、輸液容器と水素ガスとを外袋の中に封入する。
【００４５】
外袋を用いることによって、加圧容器を加圧する方法の制約が小さくなる。たとえば、加圧容器を水道につなぎ、水道の圧力で加圧容器内を加圧することが可能になる。外袋を使わないで輸液容器の周囲に水素ガスを配置する場合、加圧容器内に水素ガスを充填した状態で第２工程を行えばよい。
【００４６】
外袋を用いる場合、第２工程ののちに、水素ガスが充填された外袋から輸液容器を取り出すことなく、水素ガスが充填された外袋内に輸液容器が配置されたままの状態で輸液容器を保管してもよい。そうすることによって、使用時までの溶存水素濃度の低下を抑制できる。
【００４７】
（第２の水素化方法）
第２の水素化方法は、工程（ｉ）と工程（ii）とを含む。工程（ｉ）は、輸液容器中のガスを水素ガスに置換する工程である。工程（ｉ）は、たとえば以下の方法で実施できる。まず、注射器等を利用して、輸液容器内のガスをゴム栓部分などから抜く。次に、注射器等を利用して、輸液容器内にゴム栓部分などから水素ガスを充填する。このようにして、工程（ｉ）を実施できる。
【００４８】
工程（ii）は、工程（ｉ）を経た輸液容器を動かして輸液容器中の輸液剤と水素ガスとを攪拌することによって、輸液容器中の水素ガスを輸液剤に溶解させる工程である。工程（ii）によって、輸液剤の溶存水素濃度が上昇する。なお、第１の水素化方法で説明した外袋に、水素ガスと工程（ｉ）を経た輸液容器とを封入して、工程（ii）を行ってもよい。
【００４９】
輸液剤と水素ガスとを攪拌することができる限り、輸液容器の動かし方に特に限定はなく、機械で動かしてもよいし人が動かしてもよい。たとえば、輸液容器を振ることによって、攪拌を行ってもよい。工程（ii）において輸液容器を動かす時間（攪拌時間）は、５秒以上であってもよい。攪拌時間に上限はないが、数十秒で効果がほぼ飽和する場合が多い。そのため、攪拌時間を５秒〜数十秒の範囲（たとえば５〜６０秒の範囲）としてもよい。
【００５０】
（輸液剤の溶存水素濃度を上昇させる装置）
輸液剤の溶存水素濃度を上昇させる装置について以下に説明する。具体的には、上述した本発明の第１の水素化方法を実施するための装置と、上述した本発明の第２の水素化方法を実施するための装置とについて説明する。以下では、前者の装置を「第１の水素化装置」と称する場合があり、後者の装置を「第２の水素化装置」と称する場合がある。なお、上述した事項については重複する説明を省略する場合がある。また、以下で説明した事項は、本発明の水素化方法に適用できる。
【００５１】
（第１の水素化装置）
第１の水素化装置は、上述した第１の水素化方法の実施に使用できる。第１の水素化装置は、上述した加圧容器と、加圧容器内を加圧するための器具とを含む。加圧するための器具に限定はなく、公知の加圧機器を用いてもよい。あるいは、加圧するための器具は、加圧容器を水道栓に接続するための接続具であってもよいし、水素ガスなどのガスのボンベであってもよい。
【００５２】
（第２の水素化装置）
第２の水素化装置は、上述した第２の水素化方法の工程（ii）に使用できる。第２の水素化装置は、工程（ｉ）を経た輸液容器が配置される部材（たとえば固定具や容器）と、当該部材を揺動させるための揺動機器を含む。揺動機器に特に限定はなく、公知の揺動機器を用いてもよい。揺動機器の一例は、モータなどの駆動機器と、駆動機器の駆動力を揺動運動に変換するための変換機構（たとえばカムやギアなどを用いた変換機構）とを組み合わせた揺動機器である。
【００５３】
本発明の実施形態の例について、図面を参照しながら以下に説明する。なお、以下で説明する実施形態は本発明の一例であり、本発明の効果が得られる限り、実施形態の各構成は、上述した他の構成に置き換えることができる。以下の説明において、同様の部分については同一の符号を付して重複する説明を省略する場合がある。
【００５４】
（実施形態１）
実施形態１では、輸液剤に水素分子を溶解させるための用具（Ｔ）の一例について説明する。実施形態１の輸液用具１０を図１Ａおよび図１Ｂに示す。図１Ｂは、図１Ａの線ＩＢ−ＩＢにおける断面図である。
【００５５】
用具１０は、輸液流路（Ｐ）である輸液チューブ１１の一部を囲むように配置された水素ガス保持部材１２を含む。用具１０は、輸液チューブ１１を含んでもよい。あるいは、用具１０は、輸液チューブ１１を含まなくてもよい。後者の場合、用具１０は、一般に使用されている輸液ラインに取り付けられるものであってもよい。
【００５６】
水素ガス保持部材１２は、水素透過部１１ｔ（輸液チューブ１１）を内部に通すことが可能な管状部材１２ｔを含む。管状部材１２ｔの開口部（両端）は封止されている。輸液チューブ１１と部材１２との間は、水素ガスが流れる空間１０ｓとなっている。輸液チューブ１１のうち、空間１０ｓに面する部分は、水素分子を透過させるための水素透過部１１ｔである。
【００５７】
部材１２には、水素ガスを流すための流入口（流入部）１２ａと流出口（流出部）１２ｂとが形成されている。水素ガスは軽いため、流入口１２ａは、流出口１２ｂよりも上方（輸液の流れの上流側）に設けられてもよい。あるいは、流入口１２ａは、流出口１２ｂよりも下方（輸液の流れの下流側）に設けられてもよい。
【００５８】
輸液チューブ１１は、輸液される際に輸液剤が流れるチューブであり、輸液ラインの一部を構成するチューブである。輸液ラインの一端は、輸液剤が保持される容器に接続される。輸液ラインの他端は、静脈針などの注射針に接続される。輸液ラインの途中には、用途に応じて、クランプ、ローラークランプ、点滴筒、混注口などが設けられるが、それらに限定はない。
【００５９】
輸液チューブ１１に輸液剤が存在している状態で空間１０ｓに水素ガスを流すと、水素ガス（水素分子）は、水素透過部１１ｔを透過して輸液剤に溶解する。その結果、輸液剤の溶存水素濃度が上昇する。
【００６０】
水素ガスは、水素化処理の間、常時流してもよい。また、一定時間水素ガスを流し、空間１０ｓが充分に水素ガスで満たされた時点で、流入口１２ａおよび流出口１２ｂを閉じ、そのまま保持してもよい。なお、空間１０ｓ内の水素ガスの圧力を１気圧よりも高い圧力に維持してもよい。そうすることによって、輸液剤への水素分子の溶解量を増やすことができる。その場合、空間１０ｓ内の圧力が１気圧よりも高い所定の圧力となったときに開放される弁を水素ガス保持部材１２に設けてもよい。
【００６１】
輸液用具１０が輸液チューブ１１を含む場合、一般的に用いられている輸液ラインの一部を輸液用具１０に置き換えることが可能である。輸液用具１０が輸液チューブ１１を含まない場合、一般的に用いられている輸液ラインの少なくとも一部を囲むように水素ガス保持部材１２を配置してもよい。
【００６２】
（実施形態２）
実施形態２では、輸液用具１０の一例、および、その輸液用具１０と輸液容器および輸液ラインとの接続方法の一例について説明する。それらの構成を図２に示す。
【００６３】
図２に示す輸液用具１０は、輸液チューブ１１と水素ガス保持部材１２とを含む。輸液チューブ１１および水素ガス保持部材１２については実施形態１で説明したため、重複する説明を省略する。輸液容器２１には、輸液ラインが接続される接続部２１ａが形成されている。輸液容器２１の内部には、輸液剤２０が配置されている。図２に示すように、輸液容器２１の内部には、輸液剤２０とともにガス２１ｇが封入されている場合がある。
【００６４】
輸液ライン２２には、輸液容器２１に接続可能な接続部２２ａが設けられ、接続部２１ａや接続部１１ｂに刺すことが可能な針２３が配置されている。輸液用具１０を使用しないで輸液する場合には、輸液容器２１と輸液ライン２２とが直接接続される。
【００６５】
輸液用具１０の輸液チューブ１１の一端には、輸液容器２１に接続される接続部１１ａが設けられ、接続部２１ａに刺すことが可能な針１３が配置される。輸液チューブ１１の他端には、下流側の輸液ラインに接続される接続部１１ｂが設けられている。接続部１１ｂおよび２１ａは、針を刺すためのゴム栓を含む。本発明の輸液用具１０を使用する場合、接続部１１ａを輸液容器２１に接続し、接続部２２ａを接続部１１ｂに接続する。この構成によれば、輸液用具１０を使用して輸液するか、輸液用具１０を使用しないで輸液するかをその場で選択できる。
【００６６】
本発明の輸液用具で用いられる水素ガス保持部材の例について、図３Ａおよび図３Ｂを参照して説明する。これらの構成は、実施形態１および２の水素ガス保持部材１２に適用できる。
【００６７】
図３Ａの水素ガス保持部材１２は、輸液チューブ１１（水素透過部）を内部に通すことが可能なチューブ（管状部材）１２ｔと、チューブ１２ｔの両端（２つの開口部）を封止する２つの封止部材１２ｃとを含む。なお、図３Ａは、チューブ１２ｔの一端のみを示す。
【００６８】
封止部材１２ｃは、中央部に貫通孔が形成されたゴム栓１２ｃａと、ゴム栓１２ｃａの貫通孔に挿入可能な円筒状の弾性体１２ｃｂとを含む。弾性体１２ｃｂはたとえばスポンジからなる。弾性体１２ｃｂを、輸液チューブ１１および水素ガス流路（チューブ）１４０が通っている。弾性体１２ｃｂには、側面から中央部までつながる切り込みが形成されている。
【００６９】
水素ガス保持部材１２によって輸液チューブ１１を囲む場合、まず、輸液チューブ１１を、一方のゴム栓１２ｃａの貫通孔、チューブ１２ｔ、および他方のゴム栓１２ｃａの貫通孔に通す。次に、封止部材１２ｃによって封止を行う。具体的には、一方の弾性体１２ｃｂの切り込みに輸液チューブ１１と水素ガス流路１４０とを挟み込んだ状態で、弾性体１２ｃｂを１つのゴム栓１２ｃａの貫通孔にセットするとともに、ゴム栓１２ｃａをチューブ１２ｔの一端にセットする。また、他方の弾性体１２ｃｂの切り込みに輸液チューブ１１と水素ガス流路１４０とを挟み込んだ状態で、弾性体１２ｃｂを他のゴム栓１２ｃａの貫通孔にセットするとともに、ゴム栓１２ｃａをチューブ１２ｔの他端にセットする。なお、弾性体１２ｃｂがある程度の通気性を有するスポンジなどである場合、水素ガスが流出する側の水素ガス流路１４０を省略し、弾性体１２ｃｂから水素ガスを流出させてもよい。
【００７０】
なお、切り込みの代わりに、弾性体１２ｃｂには、輸液チューブ１１および水素ガス流路１４０を挿入可能な貫通孔が形成されていてもよい。また、弾性体１２ｃｂには、切り込みと貫通孔の両方が形成されていてもよい。
【００７１】
図３Ａでは、流入部（図３Ａの流入口１２ａ）および流出部が封止部材１２ｃの部分に設けられる一例について示した。しかし、流入部および流出部は、チューブ１２ｔの部分に設けられてもよい。そのような一例の水素ガス保持部材を図３Ｂに示す。
【００７２】
図３Ｂの水素ガス保持部材１２は、チューブ１２ｔに流入口１２ａが形成されている点が、図３Ａに示した水素ガス保持部材１２とは異なる。この場合、封止部材１２ｃを通るのは、輸液チューブ１１のみである。なお、流入部および流出部のいずれか一方のみがチューブ１２ｔに形成されてもよいし、それらの両方がチューブ１２ｔに形成されてもよい。
【００７３】
（実施形態３）
実施形態３では、輸液用具１０の一例、および、その輸液用具１０を用いた輸液装置の一例について説明する。実施形態３の輸液装置１００の構成を図４に模式的に示す。
【００７４】
装置１００は、輸液ラインの輸液チューブ１１に取り付けられる輸液用具１０と、輸液スタンド１２０と、水素ガス生成装置１３０とを含む。輸液スタンド１２０には、輸液剤が入った輸液容器２１が吊り下げられる。図４に示す輸液スタンド１２０は、移動用のキャスターを備え、移動可能である。輸液容器２１には、輸液ラインの輸液チューブ１１が接続される。水素ガス生成装置１３０には、水素ガス生成装置１３０で生成された水素ガスが流れる水素ガス流路１４０が接続されている。水素ガス流路１４０は、輸液用具１０の流入口に接続されている。
【００７５】
実施形態３の構成によれば、溶存水素濃度が高い輸液剤を簡単に利用できる。この構成によれば、輸液スタンド１２０を移動している状態でも、輸液剤に水素分子を溶解させながら輸液することが可能である。
【００７６】
なお、本発明の方法によって溶存水素濃度が高められた輸液剤を用いることによって、溶存水素濃度がより高い輸液剤を輸液することが可能となる。輸液剤中の溶存水素の一部は、輸液中に輸液容器や輸液ラインから大気中に放出される。しかし、溶存水素の放出速度は、輸液容器や輸液ラインの水素透過速度に依存するため、溶存水素濃度を高めてから短時間のうちに輸液することによって、溶存水素濃度が高い状態の輸液剤を輸液することが可能となる。さらに、輸液用具１０を用いて輸液チューブ１１の周囲を水素ガス雰囲気とすることによって、溶存水素が輸液チューブ１１を通して放出されることを抑制できる。そのため、常温常圧での飽和溶存水素濃度（約１．６ｐｐｍ）よりも溶存水素濃度が高い輸液剤を本発明の水素化方法によって準備し、その輸液剤を本発明の輸液用具（Ｔ）や輸液装置を用いて輸液することによって、溶存水素濃度が高い状態で輸液剤を輸液することが容易になる。
【００７７】
水素ガス生成装置１３０の構成の一例を図５に模式的に示す。水素ガス生成装置１３０は、電気分解される水を含む水性液体Ｗが配置される槽１３１と、槽１３１内に配置された電極ユニット１３２と、直流電源（図示せず）とを含む。
【００７８】
電極ユニット１３２の一例は、槽１３１を２つに仕切るように配置されたセパレータと、セパレータを挟むように配置された２つの電極とからなる。この場合、槽１３１には、電解液（たとえば塩の水溶液）が配置される。一方の電極がアノードとなり他方の電極がカソードとなるように両者に直流電圧を印加することによって、電解液中の水が電気分解される。その結果、カソードで水素ガスが生成される。生成された水素ガスは、水素ガス流路１４０によって輸液用具１０に供給される。
【００７９】
電極ユニット１３２の他の一例は、燃料電池（たとえば固体高分子形燃料電池）で用いられている膜電極接合体である。この場合、槽１３１には脱イオン水が配置される。膜電極接合体の空気極がアノードとなり燃料極がカソードとなるように両者の間に直流電圧を印加すると、燃料極で水素ガスが生成される。生成された水素ガスは、水素ガス流路１４０によって輸液用具１０に供給される。なお、水素ガス生成装置１３０として、膜電極接合体を含む燃料電池を用いてもよい。
【００８０】
上記の実施形態において、流出口１２ｂには、空間１０ｓを通過した水素ガスを他の部材で利用するための器具が接続されてもよい。そのような器具の例には、図６に示すような鼻カニューラが含まれる。
【００８１】
（実施形態４）
実施形態４では、本発明の第１の水素化方法および第１の水素化装置の一例について説明する。実施形態４の水素化装置の構成を図７に模式的に示す。図７の水素化装置２００は、加圧容器２１０を含む。図示はしていないが、加圧容器２１０は、複数の輸液容器２１を出し入れできる構成を有する。加圧容器２１０は、開口部２１０ａを有する。開口部２１０ａから加圧が行われる。水素化装置２００は、加圧のための加圧機器を含んでもよい。
【００８２】
加圧容器２１０内の空間２１０ｓが、輸液容器２１の周囲の空間となる。輸液容器２１の周囲の空間に水素ガスを配置する場合、空間２１０ｓに水素ガスを充填する。その場合、開口部２１０ａに、圧力レギュレータを介して水素ガスのボンベをつないでもよい。あるいは、水素ガス生成装置で生成した水素ガスを空間２１０ｓに充填してもよい。
【００８３】
輸液容器２１内には、輸液剤２０が配置されている。輸液容器２１内の空間２１ｓには、さらにガス２１ｇが封入されている場合がある。このガス２１ｇを抜いた状態で輸液容器２１を加圧容器２１０内に配置してもよい。あるいは、ガス２１ｇを水素ガスに置換した後に輸液容器２１を加圧容器２１０内に配置してもよい。
【００８４】
第１の水素化方法の第１工程では、輸液容器２１内の空間２１ｓおよび輸液容器２１の周囲の空間（空間２１０ｓ）から選ばれる少なくとも１つの空間に水素ガスを配置する。そして、その状態で、第２工程の加圧を実施する。これによって、輸液剤２０の溶存水素濃度が上昇する。
【００８５】
上述したように、第１の水素化方法および水素化装置では、外袋を用いてもよい。外袋を用いた場合の一例を、図８に示す。図８は、外袋２２０を用いる点のみが図７とは異なるため、重複する説明は省略する。
【００８６】
外袋２２０は、輸液容器２１を内部に配置した後に水素ガスを封入して密閉できる袋である。外袋２２０内の空間２２０ｓが、輸液容器２１の周囲の空間となる。空間２２０ｓだけでなく、空間２１ｓにも水素ガスが封入されてもよい。
【００８７】
輸液容器２１の周囲に水素ガスを配置して第２工程を行う場合であって外袋２２０を用いない場合には、加圧容器２１０内の空間２１０ｓに水素ガスを充填して加圧する必要がある。そのため、加圧方法に制限がある。一方、外袋２２０を用いる場合には、外袋２２０の周囲の空間２１０ｓに存在する物質は水素ガスである必要はなく、気体および液体のいずれを用いてもよい。そのため、外袋２２０を用いることによって、第２工程の加圧が容易になる。たとえば、外袋２２０を用いる場合、開口部２１０ａを水道の蛇口につなぎ、水道の圧力で加圧することも可能である。
【実施例】
【００８８】
実施例によって本発明をより詳細に以下に説明する。この実施例では、第１の水素化方法について実施した。
【００８９】
まず、輸液剤として生理食塩水が入った点滴バッグを準備した。この点滴バッグは、厚さが３００μｍのポリプロピレン製であった。さらに、点滴バッグを模したものとして、水道水が入った袋（ポリエチレンバッグ：ＰＥバッグ）を準備した。このポリエチレンバッグは、厚さが４０μｍのポリエチレンからなるものであった。
【００９０】
上記の２種類のバッグについて、上述した第１の水素化方法を実施した。このとき、上述した外袋を用いた実験も行った。外袋には、ポリエチレンテレフタレート層、アルミニウム層、およびポリエチレン層が積層されて形成された、厚さが１１４μｍの袋を用いた。加圧は、図７または図８に示す状態で行った。具体的には、開口部２１０ａから水道水を入れて加圧した。すなわち、空間２１０ｓを水道水で満たした状態で加圧を行った。加圧時の圧力は、０．３ＭＰａ（約３気圧）とした。そして、加圧後速やかに、バッグ内の生理食塩水または水道水の溶存水素濃度を測定した。なお、溶存水素濃度の測定は、ＭｉＺ株式会社製の溶存水素濃度判定試薬を用いて実施した。実験条件および結果を表１に示す。
【００９１】
【表１】
2019017879.tif 000003
【００９２】
なお、バッグ内の液体の加圧前の溶存水素濃度は、実質的に０ｐｐｍであった。表１の内包ガスとは、バッグ内のガスを意味する。表１の内包ガスとは、バッグ内のガスを意味する。表１の周囲ガスとは、バッグと外袋との間の空間のガスを意味する。サンプル２は、外袋内のガスを脱気した状態で加圧を行った。
【００９３】
表１に示すように、第１の水素化方法によって、バッグ内の液体の溶存水素濃度を高めることができた。表１に示すように、外袋を用いて、輸液容器内の空間および輸液容器の周囲の空間の両方に水素ガスを配置することによって、溶存水素濃度を特に高めることができた。さらに、１気圧よりも高い圧力で加圧することによって、常温常圧での飽和溶存水素濃度（約１．６ｐｐｍ）よりも高い溶存水素濃度を達成できた。サンプル４の溶存水素濃度は他のサンプルに比べて高くはないが、加圧の圧力をより高くしたり、加圧時間を長くしたりすることによって、より高い溶存水素濃度を実現できると考えられる。なお、測定時に溶存水素濃度が低下するため、加圧直後の溶存水素濃度は表１に示す数値よりも高いことが推測される。
【００９４】
さらに、加圧の圧力および時間を変更して実験した結果、加圧の圧力が高いほど溶存水素濃度が高くなり、加圧時間が長いほど溶存水素濃度が高くなった。
【産業上の利用可能性】
【００９５】
本発明は、輸液剤に水素ガスを溶解させて輸液するための用具および装置に利用できる。本発明は、人に対する輸液だけではなく、人以外の動物に対する輸液にも利用できる。
【符号の説明】
【００９６】
１０  輸液用具
１０ｓ  空間
１１  輸液チューブ
１１ｔ  水素透過部
１２  水素ガス保持部材
１２ａ  流入口（流入部）
１２ｂ  流出口（流出部）
２０  輸液剤
２１  輸液容器
１００  輸液装置
１２０  輸液スタンド
１３０  水素ガス生成装置
１３２  電極ユニット
１４０  水素ガス流路
２００  水素化装置
２１０  加圧容器
２２０  外袋（袋）
【図１Ａ】
2019017879.tif 000004
【図１Ｂ】
2019017879.tif 000005
【図２】
2019017879.tif 000006
【図３Ａ】
2019017879.tif 000007
【図３Ｂ】
2019017879.tif 000008
【図４】
2019017879.tif 000009
【図５】
2019017879.tif 000010
【図６】
2019017879.tif 000011
【図７】
2019017879.tif 000012
【図８】
2019017879.tif 000013